(57)【要約】                                                                        【課題】  混信なく制御信号を送受し、多数を統一的かつ柔軟に制御することできる光増幅装置及びそれを用いた光増幅中継伝送システムを提供すること。                       【解決手段】  通信ユニット及びそれに接続された複数の光増幅ユニットを有する光増幅装置であって、前記各光増幅ユニットに固有の識別符号を定めることにより、複数の前記光増幅ユニットが区別して制御されることを特徴とする光増幅装置とし、それを用いて光増幅伝送システムを構成する。                                        【選択図】        図１                                                                                                                                                                                                                                                                                                                                                                                                    
2005109595.tif 000002
【特許請求の範囲】
【請求項１】
通信ユニット及びそれに接続された複数の光増幅ユニットを有する光増幅装置であって、前記各光増幅ユニットに固有の識別符号を定めることにより、複数の前記光増幅ユニットが区別して制御されることを特徴とする光増幅装置。
【請求項２】
前記通信ユニットにＩＰアドレスを付与することを特徴とする請求項１記載の光増幅装置。
【請求項３】
ＳＮＭＰによって制御されていることを特徴とする請求項１記載の光増幅装置。
【請求項４】
請求項１記載の光増幅装置を、１つのコンピュータネットワークに接続し、コンピュータ端末で制御することを特徴とする光増幅中継伝送システム。
【発明の詳細な説明】
【技術分野】
【０００１】
本発明は、光ファイバ伝送システムにおいて、伝送路である光ファイバの伝送損失の補償或いは分岐補償等のために設けられる光増幅装置及びそれを用いた光増幅中継伝送システムに関するものである。
【背景技術】
【０００２】
長距離光ファイバ伝送システムにおいて、信号光を増幅するためにエルビウムドープファイバ増幅装置を代表とする光増幅装置が用いられている。光増幅装置は単数設置されることもあるが、多芯の光ファイバケーブルの各芯ごとに各信号光を増幅するために複数設置される場合が多く、さらに長距離を多段階に分けて増幅するために複数の箇所に設置されることが多い。
【０００３】
そこで、光ファイバ伝送システムの管理者が複数の光増幅装置を１箇所で制御可能な制御手段が検討されており、特許文献１には、伝送路である光ファイバ各芯ごとに送信機から出力レベル制御信号を光伝送信号に重畳して伝送することによる遠隔制御方法が示されている。
【特許文献１】特開平６−６９８９０号公報
【発明の開示】
【発明が解決しようとする課題】
【０００４】
しかしながら、従来は多数の光増幅装置と混信なく制御信号を送受し、統一的かつ柔軟に制御することはできなかった。例えば、特許文献１では、出力レベル制御信号を振幅変調して光伝送信号に重畳しているが、制御対象の光増幅装置が多段に存在するとすると振幅変調の周波数を各段で変える必要があり、その際周波数の異なる制御信号同士で混信が生じる危険性があるため、混信を避けるためには設定可能な周波数すなわち制御対象の光増幅装置の数が限られる。また、出力レベル制御信号は各芯ごとに別の送信機から伝送する必要があり、複数の送信機を統一的に制御することが困難である。さらに、制御信号を振幅変調可能なのは光ファイバ伝送システムの送信側端局に限られるため、光ファイバ伝送システムの管理者が制御可能な場所は光ファイバ伝送システムの送信側端局のみとなる。
【０００５】
従って本発明は上記の問題に鑑み、混信なく制御信号を送受し、多数を統一的かつ柔軟に制御することできる光増幅装置及びそれを用いた光増幅中継伝送システムを提供することを目的としている。
【課題を解決するための手段】
【０００６】
上記の問題を解決するために、請求項１記載の光増幅装置は、通信ユニット及びそれに接続された複数の光増幅ユニットを有する光増幅装置であって、前記各光増幅ユニットに固有の識別符号を定めることにより、複数の前記光増幅ユニットが区別して制御されることを特徴とするものである。なお、ここで、通信ユニットとは、光増幅装置外部のコンピュータネットワークとの通信用端子及びデータを送受信する通信機能を有するＩＣ等の部材から成るユニットであり、光増幅ユニットとは入出力端子及び光増幅機能を有するエルビウム添加光ファイバ等の部材から成るユニットである。
【０００７】
請求項２記載の光増幅装置は、請求項１記載の光増幅装置において、前記通信ユニットにＩＰアドレスを付与することを特徴とするものである。
【０００８】
請求項３記載の光増幅装置は、請求項１記載の光増幅装置において、ＳＮＭＰによって制御されていることを特徴とするものである。
【０００９】
請求項４記載の光増幅中継伝送システムは、請求項１記載の光増幅装置を、１つのコンピュータネットワークに接続し、コンピュータ端末で制御することを特徴とするものである。
【発明の効果】
【００１０】
本発明は、通信ユニット及びそれに接続された複数の光増幅ユニットを有する光増幅装置であって、前記各光増幅ユニットに固有の識別符号を定めることにより、複数の前記光増幅ユニットが区別して制御されることに特徴を有する。これにより、混信なく制御信号を送受し、多数を統一的かつ柔軟に制御することできる光増幅装置及びそれを用いた光増幅中継伝送システムを実現することが可能となる。
【発明を実施するための最良の形態】
【００１１】
以下、図面に基づいて本発明の実施形態を説明する。
図１は本発明の一実施形態における光増幅装置の構成図を示している。１が本発明の光増幅装置であり、４つの光増幅ユニット１１と1つの通信ユニット１２から成る。各光増幅ユニット１１には入力コネクタ１１１と出力コネクタ１１２があり、入力コネクタ１１１から入力された１．５５μｍ帯の信号光が増幅され、出力コネクタ１１２から出力される。図示は省くが、端部にコネクタを備えた光ファイバにより、各入力コネクタ１１１及び各出力コネクタ１１２は光増幅装置１の外部と接続されている。
【００１２】
図２に光増幅ユニット１１内の詳細な構成を示す。各光増幅ユニット１１に入力コネクタ１１１と出力コネクタ１１２があるのは図１に示した通りであるが、各光増幅ユニット１１内には、１．５５μｍ帯に増幅作用を有するエルビウム添加光ファイバ１１３、エルビウム添加光ファイバ１１３に励起光を供給する０．９８μｍ帯の半導体レーザダイオードモジュール１１４、０．９８μｍ帯の半導体レーザダイオードモジュール１１４からの励起光をエルビウム添加光ファイバ１１３に合波する波長多重カプラ１１５、入力光パワーをモニタするためのフォトダイオードモジュール１１６１、出力光パワーをモニタするためのフォトダイオードモジュール１１６２、入力光をフォトダイオードモジュール１１６１に分岐するための分岐カプラ１１７１及び出力光をフォトダイオードモジュール１１６２に分岐するための分岐カプラ１１７２が存する。そして、各光増幅ユニット１１は、光増幅ユニット１１内の電子部品、すなわちレーザダイオードモジュール１１４、フォトダイオードモジュール１１６１、１１６２等と配線されており、それらの制御を行う制御回路１１８を有し、制御回路１１８は光増幅ユニット１１外部と制御信号コネクタ１１９を介して図１記載の通信ユニット１２と接続されている。
【００１３】
さらに、通信ユニット１２と光増幅装置１外部とはＬＡＮ（ローカルエリアネットワーク）コネクタ１２１により外部のコンピュータネットワークと接続されており、コンピュータ端末によって光増幅装置１は制御される。
【００１４】
図３にコンピュータ端末を含む光増幅中継伝送システムの一例を示す。本実施例においては、４つの光増幅装置１が配置されており、送信機２から送出される光信号は、数十ｋｍの長さの光ファイバケーブル４で結ばれた４箇所の光増幅装置１において増幅され、受信機３によって受信される。図３においては、各光増幅装置１に２つの光増幅ユニットが存在するため、各光増幅装置１によって２芯の光ファイバ中の光信号が増幅される。特に、本実施例では２芯の光ファイバを通る光信号は逆方向に設定されている。また、各光増幅装置１はＬＡＮケーブル５によってコンピュータネットワークの集線装置６に接続され、各集線装置６同士は制御回線７によって接続されている。そして、制御回線７中に設置された1つの集線装置６にコンピュータ端末８が接続されている。なお、図１においては各光増幅装置１に４つの光増幅ユニットを表記し、図３においては各光増幅装置１に２つの光増幅ユニットを表記したが、これは光増幅ユニット１１の数が変わることによって、機能・性能上の相違が生じるわけで無いため、図３において、記載を省略したに過ぎないし、各光増幅装置１内の光増幅ユニット１１の数は、各光増幅ユニット１１を光増幅装置１内に抜差しすることにより、追加・削減することで自由に変更することができる。
【００１５】
次に、光増幅装置１の制御動作の一例を示す。
各光増幅ユニット１１の出力光の一部が分岐カプラ１１７２によって分岐され、フォトダイオードモジュール１１６２に導光される。フォトダイオードモジュール１１６２において光電変換された後、出力光パワーに比例したモニタ値として、アナログ電気信号が制御回路１１８に伝達される。制御回路１１８において、アナログ電気信号がデジタル信号に変換された後、制御信号コネクタ１９を介して、通信ユニット１２に伝達される。この際、通信ユニット１２において、各光増幅ユニットは固有の識別符号、例えば１から順に連続した番号が付与され識別される。通信ユニット１２に伝達されたモニタ値は、通信ユニット１２より、ＬＡＮケーブル５、集線装置６、制御回線７で構成されるコンピュータネットワークを経由してコンピュータ端末８に伝達され、コンピュータ端末８のディスプレイモニタに、出力光パワーに比例したモニタ値及び光増幅ユニット１１毎の識別符号が表示される。この際、コンピュータネットワークにおいて、通信ユニットは３２ビットのＩＰ（インターネットプロトコル）アドレスが付与され識別されるため、コンピュータ端末８のディスプレイモニタに、通信ユニット１２毎の識別符号も表示される。ここで、光ファイバ伝送システムの管理者が各光増幅ユニット１１の出力光パワーを変更する場合、コンピュータ端末８からキーボード、マウス、タッチパネル等の入力手段により、出力光パワーの変更を要求する内容の制御コマンドを入力することにより、出力光パワーの変更を実現することができる。また、通信ユニット１２には、図示は省略したが、入力光パワー、出力光パワー等のモニタ値及びコンピュータ端末８との間で送受される制御コマンド等のデータを記録するための記録手段が内蔵されており、所定期間内に発生したデータは記録手段に記録される。記録手段に記録されたデータは通信規約であるSNMP（シンプルネットワークマネージメントプロトコル）により規定される制御コマンドによって、コンピュータ端末８、通信ユニット１２間で問合せ・応答される。
【００１６】
本発明においては、通信ユニット１２はＩＰアドレスにより識別し、各光増幅ユニットは固有の識別符号により識別しているため、一度に多数の光増幅ユニット１１を混信無く、独立して制御することができる。すなわち、統一的な制御が可能である。
【００１７】
また、本実施例においては、ＩＰアドレスにより通信ユニット１２を識別しており、制御用端末をコンピュータネットワーク上のどこにでも設置することができるため、光ファイバ伝送システムの管理者は制御する場所の制約を受けないし、複数のコンピュータ端末から光増幅ユニット１１の一部或いは全部を制御することも可能である。すなわち、柔軟な制御が可能である。
【００１８】
さらに、本実施例においては、１つの通信ユニット１２内において、複数の光増幅ユニット１１それぞれに対応する識別符号が設定され、各光増幅ユニット１１が制御されているため、個々の光増幅ユニット１１毎に、ＩＰアドレスが設定される場合に比べて、通信用の回路を共有することができるため、光増幅装置の占有体積を減らすことができるし、光増幅ユニット１１のデータを１つの通信ユニットで束ねて光増幅装置１の外部と送受するため、ハブ等集線装置の数を減らすことができ、そのことによりコンピュータネットワークの構成を単純化できる。
【００１９】
なお、本実施例においては、通信ユニット１２がＩＰアドレスによって識別されていたが、必ずしもＩＰアドレスである必要は無く、通信ユニット１２毎に異なった番号が付与されていれば、各光増幅ユニットを区別して制御可能であるという点で問題はない。ただし、ＩＰアドレスの場合、ＩＰアドレスを識別可能な集線装置がすでに実現されており一般的であるため、コンピュータネットワークの構築が容易であるという点で好適である。
【００２０】
また、本実施例においては、記録手段に記録されたデータの通信規約は、SNMPであったが、これもSNMPに限定する必要は無く、製造者独自の通信規約によりデータの送受を実施してもよい。ただし、通信規約がSNMPであれば、前記ＩＰアドレスの場合と同様に、SNMP対応可能な集線装置がすでに実現されており一般的であるため、コンピュータネットワークの構築が容易であるという点で好適である。
【産業上の利用可能性】
【００２１】
以上説明したように、本発明の光増幅装置は、通信ユニット及びそれに接続された複数の光増幅ユニットを有し、前記各光増幅ユニットに固有の識別符号を定めることにより、複数の前記光増幅ユニットが区別して制御されるため、混信なく制御信号を送受し、多数を統一的かつ柔軟に制御することできる光増幅装置及びそれを用いた光増幅中継伝送システムを実現することについて有用である。  
【図面の簡単な説明】
【００２２】
【図１】本発明に係わる光増幅装置の一実施例を示す構成図である。
【図２】本発明に係わる光増幅ユニットの一実施例を示す構成図である。
【図３】本発明に係わる光増幅中継伝送システムの一実施例を示す構成図である。
【符号の説明】
【００２３】
１                    ・・・光増幅装置
１１                  ・・・光増幅ユニット
１１１                ・・・入力コネクタ
１１２                ・・・出力コネクタ
１１３                ・・・エルビウム添加光ファイバ
１１４                ・・・レーザダイオードモジュール
１１５                ・・・波長多重カプラ
１１６１、１１６２   ・・・フォトダイオードモジュール
１１７１、１１７２   ・・・分岐カプラ
１１８                ・・・制御回路
１１９                ・・・制御信号コネクタ
１２                  ・・・通信ユニット
１２１                 ・・・ＬＡＮコネクタ
２                    ・・・光送信機
３                    ・・・光受信機
４                    ・・・光ファイバケーブル
５                    ・・・ＬＡＮケーブル
６                    ・・・集線装置
７                    ・・・制御回線
８                    ・・・コンピュータ端末
【図１】
2005109595.tif 000003
【図２】
2005109595.tif 000004
【図３】
2005109595.tif 000005